(57)【要約】  本発明は、太陽光エネルギーを電気エネルギーに変換するための発光型太陽光集光器を用いる光電デバイスに関する。より具体的には、本発明は、その表面に配置された複数の上記光電デバイスを備える光電パネルに関する。
2014523137.tif 000002
【特許請求の範囲】
【請求項１】
−  リング状形状を有する太陽光集光器（２）であって、
−  リングの外側部分に沿って配置された外側コンベア（３）と、
−  台形断面を有する外側発光型プレート（２２）であって、前記外側コンベア（３）から到来する発光型放射入射を受光するように構成された外周受光面（２２１）を有する、外側発光型プレートと、
−  前記リングの内側部分に沿って配置され、台形断面を有する内側発光型プレート（２１）と、
−  前記台形断面のより大きい底辺が向くように２つの前記外側及び内側発光型プレート（２１、２２）間に挟み込まれたナノ構造を有する半導体層（２３）であって、当該半導体層（２３）が、前記外側及び内側発光型プレート（２１、２２）によって移送された放射を受光し、光電効果を生成するように構成された、半導体層と、
を備える、太陽光集光器と、
−  前記外周受光面（２２１）において入射発光性放射を集めて集光するように構成された搬送手段（３、５）と、
を備えることを特徴とする光電デバイス（１）。
【請求項２】
前記外側発光型プレート（２２）が、入射放射のうち紫外線領域の波長を有する一部を吸収するように構成され、光電効果を生成するような周波数で第１放射を前記半導体層（２３）へ放射することを特徴とする請求項１に記載の光電デバイス（１）。
【請求項３】
前記内側発光型プレート（２１）が、入射放射のうち赤外線領域の波長を有する一部を吸収するように構成され、光電効果を生成するような周波数で第２放射を前記半導体層（２３）へ放射することを特徴とする請求項１または２に記載の光電デバイス（１）。
【請求項４】
ナノ構造を有する前記半導体層（２３）が、馬蹄形状の構造を有し、ほぼ上向きのＵ字状を有するＰドープシリコンからなる外側部分と、Ｎドープシリコンからなる内側部分と、を備えることを特徴とする請求項１から３のいずれか１項に記載の光電デバイス（１）。
【請求項５】
前記搬送手段（３、５）が、前記リングの外周に沿って配置され、三角形断面を有するコンベア（３）を備え、
前記コンベアが、前記外周受光面（２２１）に沿う前記外側発光型プレート（２２）の付属物である第１面（３１）と、入射放射を集めて搬送するように構成された第２面（３２）と、を有することを特徴とする請求項１から４のいずれか１項に記載の光電デバイス（１）。
【請求項６】
前記コンベア（３）が、直角二等辺断面を有し、ミラーが付けられた第３斜面（３３）を備え、
前記第３斜面が、前記第１及び第２面（３１、３２）と向かい合うことを特徴とする請求項５に記載の光電デバイス（１）。
【請求項７】
前記コンベア（３）が、当該コンベアの前記受光面（３２）にあるＰＥ３９９Ｋｒｉｓｔａｌｆｌｅｘの層または他の反射防止フィルムと組み合わせたｐｌｅｘｉｔ５５の混合物から得られる、ポリメチルメタクリレートで形成されていることを特徴とする請求項５または６に記載の光電デバイス（１）。
【請求項８】
前記搬送手段（３、５）が、１以上のフレネル型のレンズ（５）を備え、
前記レンズが、前記コンベア（３）を覆い、かつ前記コンベアから離間し、当該レンズへの発光型放射入射を前記コンベアに集光させるように構成されていることを特徴とする請求項５から７のいずれか１項に記載の光電デバイス（１）。
【請求項９】
円を形成するようにそれらの間に配置された４つの前記フレネルレンズ（５）を備え、
前記円において、前記フレネルレンズそれぞれが、その四分円それぞれをなし、
前記フレネルレンズ（５）それぞれが、前記コンベア（３）に各別に属する前記第２面（３２）の部分において入射放射を集光するのに適していることを特徴とする請求項６及び８に記載の光電デバイス（１）。
【請求項１０】
前記外側及び内側発光型プレート（２２、２１）が、ｐｌｅｘｉｔ５５の混合物から得られるポリメチルメタクリレートで形成されていることを特徴とする請求項１から９のいずれか１項に記載の光電デバイス（１）。
【請求項１１】
前記外側発光型プレート（２２）が、それぞれが斜面に沿って各別に配置された一対の外側反射ストリップ（２２２、２２３）を備えることを特徴とする請求項１から１０のいずれか１項に記載の光電デバイス（１）。
【請求項１２】
前記内側発光型プレート（２１）が、それぞれが斜面に沿って各別に配置された一対の内側発光ストリップ（２１１、２１２）と、その台形断面のより小さい底辺に沿って配置された反射ストリップ（２１３）と、を備えることを特徴とする請求項１から１１のいずれか１項に記載の光電デバイス（１）。
【請求項１３】
前記外側及び内側発光型プレート（２２、２１）が、燐光発光効果を生成するのに適した顔料を内側に備えることを特徴とする請求項１から１２のいずれか１項に記載の光電デバイス（１）。
【請求項１４】
前記顔料が、「黄緑」タイプからなることを特徴とする請求項１３に記載の光電デバイス（１）。
【請求項１５】
それぞれが前記リングの各側に配置された４つの半球状のカバー（７）を備えることを特徴とする請求項１１及び１２に記載の光電デバイス（１）。
【請求項１６】
前記太陽光集光器（２）に関連付けられた冷却システムをさらに備えることを特徴とする請求項１から１５のいずれか１項に記載の光電デバイス（１）。
【請求項１７】
前記冷却システムが、冷却剤が備えられた１以上の冷却チャネル（１０）を備えることを特徴とする請求項１６に記載の光電デバイス（１）。
【請求項１８】
前記冷却チャネル（１０）が、半球状の前記カバー（７）の内側に設けられていることを特徴とする請求項１５及び１７に記載の光電デバイス（１）。
【請求項１９】
内側に挿入されかつ支持される容器（４）を備え、
前記容器が、上方に関して円形に配置された４つの前記フレネルレンズ（５）によって閉塞されていることを特徴とする請求項９及び１〜１８のいずれか１項に記載の光電デバイス（１）。
【請求項２０】
格納タイプの格子構造における交点に配置された請求項１から１９のいずれか１項に記載の複数の光電デバイス（１）を備えることを特徴とする光電パネル（１００）。
【請求項２１】
太陽追従移動システム（２００）をさらに備えることを特徴とする請求項２０に記載の光電パネル（１００）。
【発明の詳細な説明】
【技術分野】
【０００１】
本発明は、太陽光エネルギーを電気エネルギーに変換するための発光型太陽光集光器を用いた光電デバイスに関する。より一般的には、本発明は、その表面に配置された複数の上記光電デバイスを備える光電パネルに関する。
【背景技術】
【０００２】
既知のように、発光型太陽光パネルは、それらの小型性、高効率性及び多価値性の特徴により、光電市場において傑出しようとしている。
【０００３】
上記技術のパネルの背景を説明する出発点を構成する見解は、まず第１に、この技術を広めるための解決法として、光電産業が光電デバイス（特に、第１世代の光電デバイス）のコストの抑制の追及することに関する。
【０００４】
一般的に、この目的は、３つの行動方針、すなわち原材料コストの削減、高生産的なかつ多産性の製造及び光電デバイスの効率の増大、を導入することによって、追求される。
【０００５】
最初の２つの行動方針に関して、一方では、数パーセントポイントの減少は、エレクトロニクス用のシリコン（本質的に２０％を超える効率に達する）の使用を制限するために、冶金用のシリコンを用いてその精製技術を簡素化することによって、デバイスの総費用に対してシリコン原料が負う現在の１４％〜１９％について追及されており、他方では、産業が、製造ラインの著しい自動化を目的とすることによって現在の１５０μｍ未満にシリコンウエハの厚さ（したがって量）を低減することに努め、この製造ラインは、セル製造ステップ中の破損の可能性を低減し、微細構造化や裏面反射のようなその頂面及び底面の特有の処理を可能とする。
【０００６】
しかしながら、ほとんどのエネルギーを第３の「行動方針」に注力すべきである。
【０００７】
最後の技術は、シリコンの外部量子効率（ＥＱＥ）を太陽光スペクトルに適合させるために、外部量子効率スペクトルを変更することによって、すなわち「量子ドット」のサイズを変化させることであって、セルの光電変換技術を改良することを目的としており、この量子ドットが、ナノメートルオーダーのサイズの導電材料粒子であり、これらが吸収するまたは放出する波長が調整可能であること、によって、及び、２以上の赤外線フォトンがセルの後ろ側に位置する「アップコンバータ」と称する特定の構成部材に達し、それにより、電子がより高いエネルギーレベルに突入する場合に、「アップコンバージョン」と称する、または、各入射光エネルギー電子について、エネルギーがより低い１以上のフォトンを発生する場合に、「ダウンシフティング」と称する、他の２つの処理、によって、セルの光電変換技術を改良することを目的としている。
【０００８】
第２世代（製造プロセスを簡素化してより経済的にするために導入された薄膜フィルム）と、第３世代の光電（ＰＶ）技術であって有機化学ベースの材料が注目されかつその主な例が色素増感太陽電池セル（またはグレッツェル型セル）及び完全な有機セル（ＯＰＶ）である第３世代の光電技術と、は、同様に、この概略に適合する。
【０００９】
第２世代以降の光電分野においてさえも、ナノメートルオーダーのサイズに達すると、特有の特性または物理化学効果を量子の用語で完全に説明可能となるので、次の１つは、ナノテクノロジーの主導的役割を証言する。
【００１０】
これら効果の間において、蛍光型太陽光集光器を製造することに利用可能である、サイズの変更によるナノ粒子の吸収及び発光スペクトルの変化について述べる。
【００１１】
これら集光器は、光学的に透明な材料で形成されており、この内側には、発光型物質（ナノ粒子、蛍光性分子）が分散されている。
【００１２】
したがって、低周波数へのスペクトル変換（ダウンシフト）の効果を利用し、プレートの動作作用と組み合わせて、太陽光スペクトルをセルの効率を最大化させるスペクトルに一致させる。
【００１３】
プレートの広い頂面によって吸収される太陽光放射は、適切なスペクトル領域に変換されて縁部で集光されており、この縁部には、小面積の太陽光セルが配置されている。これは、従来の集光システムで適用されるように、光電材料の使用を低減する。
【００１４】
ＬＳＣ（発光型太陽光集光器）において、プレートの受光面とその縁部の面積との間の比率は、集光器の利得係数を示す。例えば、一辺１０ｃｍで厚さ５ｍｍであり、４つのセルが縁部に配置された正方形プレートは、５の利得係数を有し、１つの縁部に１つのセルがあり、３つの反射ミラーが残りの縁部にある同一のプレートは、２０の利得係数を有する。利得係数が大きくなるほど、費用対効果の比率においてＬＳＣの入射がよりよくなる。
【００１５】
２００８年に、イスプラにあるＪＲＣのＥＳＴＩ研究所は、高効率のＬＳＣモジュールを試験し、通常状態の下で７．１％の値を記録しており、これは、現在この種のデバイスにおける最高値である。
【００１６】
上記モジュールは、５×５×０．５ｃｍ３集光器であり、市場で入手可能なplexitt 55混合物を重合化することによって得られるポリメチルメタクリレートで形成されている。使用する蛍光色素は、ペリレン及びクラリンの混合物から得られる。集光器の動作部分は、プレート縁部に配置された４つの５×０．５ｃｍ３のガリウム砒化物（ＧａＡｓ）ＰＶセルを有しており、PE399 Kristalflex（登録商標）フィルムは、屈折率変更のない光学セル接続を保証する。
【００１７】
文献に示すように、かつＥＳＴＩ研究所において、ＬＳＣ集光器は、直接の及び散乱の太陽光放射双方を受光する。特に、これらは、標準の平坦パネルタイプのモジュールに対して良好な反応性（コサイン）を示す。
【００１８】
このため、従来の集光器にあるような太陽追従器は、必要ではない。
【００１９】
光を完全には電気エネルギーに変換できないことが知られている。一部のフォトンは、光電効果を開始させるのに十分なエネルギーを有しておらず、その代わりに、他のフォトンは、浪費される過剰なエネルギーを有する。
【００２０】
シリコンの場合において、フォトンのエネルギーが単にシリコンに対して必要であるギャップエネルギー（１．１２ｅＶ）未満であるので、１１．１μｍより大きい波長を有するフォトンすべては、光電効果を生成しない。その代りに、１．１１μｍ未満の波長を有するフォトンは、上記効果を作り上げるが、１．１２ｅＶを変換するのみである。フォトンがより大きいエネルギーを有している場合、フォトンは、変換されず、熱になる。
【００２１】
シリコンの場合において、エネルギーの３０．２％は、フォトンからの１．１２ｅＶを超えて引くことができないので、損失になり、その２０．２％は、フォトンが光電効果を始めるのに十分なエネルギーを有していないので、損失となる。したがって、文献において知られているように、利用可能な最大エネルギーは、約４９．６％である。
【発明の概要】
【発明が解決しようとする課題】
【００２２】
本発明は、材料として一般的なシリコンを常に用いて、以下で詳述するように、使用されていない太陽光放射の残りの約５０％を可能な限り利用することを目的とする。
【課題を解決するための手段】
【００２３】
本発明の態様において、このような結果は、発光型太陽光集光器を用いることによって可能とされ、これらは、適切に選択すると、波長がより大きいまたはより短いフォトンを捕捉することができ、そして、シリコンに適した波長のフォトンを解放する。
【００２４】
これらは、より低価格で、いわばアップコンバータとダウンシフタとを示す。
【００２５】
請求項１に実質的に規定するような光電デバイスによって、及び、請求項２１の範囲内に実質的に規定するような光電パネルによって、このような目的を達成する。
【００２６】
本発明のさらなる特徴は、対応する従属請求項で規定される。
【００２７】
本発明は、従来技術の上記問題点を克服することによって、多くの明らかな利点を引き起こす。
【００２８】
従来技術の現在の状態において広く知られているように、蓄電池は、光電システムの構成部材であり、この蓄電池は、負荷が要求する電力を的確に満たし、かつ、夜間に負荷に対して直接給電するための、能力を保証しており、すなわち、その役割は、光電力が負荷供給を超えている場合に、光電システムにより供給される電力をまとめることである。
【００２９】
正確にサイズ付けすることは、負荷が要求する電力を最もよく満たすことができるバッテリ団(battery fleet)の構造を規定することの目的である。
【００３０】
現在、市場は、２つのグループ、鉛酸蓄電池またはニッケルーカドミウム蓄電池の間で選択することを可能とする。
【００３１】
光電システムにエネルギーを蓄積することが必要でありかつほとんど義務であるので、これらのサイズを小型化することによって改善される。
【００３２】
ここで、「これらのサイズを小型化すること」は、蓄電池が満たさなければならない負荷を考慮することを意味しているのではなく、むしろ、夜間のようにパネルが通常バッテリが給電するときにも動作させることであることを意味する。
【００３３】
本発明の好ましい態様において、日光がない場合でも、光電効果をいずれにせよ保証し、夜間期間全体の間に強度を減少し、−これら期間にわたって−蓄電池の使用を必要としない。
【００３４】
結果を最適化するため、電力効率性及び構成双方の観点から、一体化が設計手順の当初から正しいと想定される必要がある。
【００３５】
いくつかの要件、エネルギー節約、環境保護、画像要件、並びに、教育上の及び例証的な性質の要件が光電集積化をもたらす。
【００３６】
光電集積化は、３つのカテゴリ、レトロフィット(retrofitting)の介入、新規の建物の及びストリートファニチャ（街路に設置される公共物）の介入に区分される。
【００３７】
本発明は、第３世代の太陽光発電に特有であるより大きい一体型容量を断念するが、建築学的な一体化の分野において、すなわち、必然的な妨害−必要な電力が同一である−が一般的なサイズについてより妥当であり、したがって、構造体に「融合」させる可能性がより大きいために、ＰＶシステムを既に存在する建物に及びストリートファニチャに一体化する場合において、レトロフィットの介入を示す。
【００３８】
本発明に関連する主な利点の中には、
−  全体をより小型化すること、
−  レトロフィット及びストリートファニチャに関して、従来のパネルに対して構造上の一体化が改良されること、
−  バッテリ団を小サイズ化する可能性、
−  太陽光放射の利用の改良、
−  従来のパネルに対して電力が増大すること、
−  夜間動作、
がある。
【００３９】
夜間動作に関して、ＬＳＣは、発光型拡散センターとして機能し、ここでは、入射太陽光スペクトルの一部は、吸収され、より高い周波数で蛍光発光によって集光されて再度放射される。
【００４０】
ＬＳＣは、上記作用を引き起こす特定の無機顔料を含む。
【００４１】
夜間動作は、同一のＬＳＣにおいて蛍光発光放射を組み合わせると得られ、燐光発光放射も同様である、すなわち、徐々にかつ暗い状況の下で事前に吸収した光を解放する。もちろん、そのために、これら特徴を顔料に混合する際には、正しいバランスが必要である。
【００４２】
本発明にかかる光電デバイスの主題は、本明細書において限定する目的ではない例として付与される本発明の好ましい形態に関連して以下で詳述するように、以下のものを含む。
−  内側でデバイスを支持する容器であって、この容器は、好ましくは、妨害の理由で、適度な幅及び著しく平坦化された曲率を有する、容器。
−  外側の半分に関して、紫外線を集めるように構成された台形状のＬＳＣを備え、内側の半分に関して、赤外線を集めるように構成された台形状のＬＳＣを備える、リング状構造体。リングの中心には、その周方向の展開にわたって、ナノ構造を有するシリコンの層があり、その底部部分には、接点が収容されている。頂部及び底部キャップには、好ましくはリング面の約３０％を被覆するミラーが配置されており、−集光器によって既に集光された−フォトンをシリコン層に搬送し、そのため、光電効果を得る。
−  光電パネルは、移動可能構造体を備え、この構造体には、上述した光電デバイスが取り付けられている。この構造体は、好ましくは、内側に同一材料の細長い薄板(spline)がヒンジ接続された硬質フレームを備え、この硬質フレームは、構造体に対して太陽追従能力を付与するために、それら自体の軸回りで１８０°傾くこと及び回転することが可能である。運動は、妨害が増大する影響を及ぼさないように、計算した寸法内にある。
【００４３】
運動調整機構は、中央ストリップの内端部に配置されなければならず、そして、他のストリップに接続されている。
【００４４】
細長い薄板及び集光器の数は、可変であるが、標準は、８つの集光器に関して４つの細長い薄板である。
【００４５】
使用可能な発光型太陽光集光器の数を選択する可能性に関連するモジュール性に加えて、その運動を保証することが可能な機械的連結部またはブラケットにパネル全体（したがって、上述したフレームすべて）を固定する可能性に関連するモジュール性があり、一例として、パネルを「格納式」にする連結部に固定し、そしてパネルをバルコニーの保護「レール」にではなくバルコニーの下に配置することが挙げられ、例えば歴史的に関連するものなど建物構造体の審美性を調整することを回避する。
【００４６】
本発明は、非常に興味深く独特の態様を導入することによって市場に置くことを提案しており、この態様は、独立式及びグリッド接続システム双方に関して通用するように設定する。
【００４７】
これに関して、まず第一に、旧来のパネルに対してその妨害を低減することによって、パネルを配置することにおいて行動がより自由である個別申込の所有者または都市の住人に付与することが促進され、少なくとも構造体への影響を最小化するために最も特有の解決法をはぐくみ、その後、上述のように、標準サイズが顧客により必要とされるまたは要求される特有の解決法すべてを伴うので、そのモジュール性により、同様に促進される（例えば２つのストリップ−４つの集光器、または５つのストリップ−１０の集光器など）。
【００４８】
さらに、これは、夜間にも電気エネルギーを生成できる最初のパネルであり、この態様は、個別の申込についてのバッテリ団サイズに関して、及び、主母線接続(mains-connected)（都市型）申込についてのエネルギーの信頼に関して利点をもたらし、太陽光の集光と太陽光放射を集めるために最適な傾きに近づくようにパネルを移動させることができる単純な太陽追従システムとを融合することのおかげで、高水準の利用可能な電力を考慮することがない。
【００４９】
その実用性は、いわゆるストリートファニチャ、すなわち遮音壁、プラットフォーム屋根、信号システム、海上信号システム、バス待合所、駐車場メータなどにおいて２つの折畳様式で示されており、このような構造物は、エネルギーの一部で給電される一方、エネルギーのうち残りの部分（または遮音壁の場合においてエネルギーのすべて）部分は、ネットワークに戻され、グリッド接続されたデバイスのようなものとして機能する。
【００５０】
上記を考慮すると、本発明は、従来の電源に対して、技術的に前進し、機械的に革新的であり、環境にやさしく、かつエネルギー的に競争力のある光電デバイス及びパネルを提案する。
【００５１】
本発明のさらなる利点並びに機能及び動作ステップは、限定的ではない例として付与された、その好ましい実施形態の以下の詳細な説明において明らかになる。添付の図面を参照する。
【図面の簡単な説明】
【００５２】
【図１】本発明にかかる光電デバイスを示す断面斜視図である。
【図２】図１の断面の細部を示す正面図である。
【図３】本発明にかかる光電デバイスを示す斜視図である。
【図４】図３の光電デバイスを示す平面図である。
【図５】図１の断面の細部を示す正面図である。
【図６】本発明にかかる光電パネルを示す斜視図である。
【図７】変形実施形態にかかる光電パネルを示す図である。
【図８Ａ】図７のパネルの使用手順を示す図である。
【図８Ｂ】図７のパネルの使用手順を示す図である。
【図８Ｃ】図７のパネルの使用手順を示す図である。
【発明を実施するための形態】
【００５３】
図１を参照すると、本発明にかかる光電デバイス１が示されており、この光電デバイスは、リング状の形状を有する太陽光集光器２を備える。この図において、集光器２は、断面で示されており、したがって、その一方の半分のみを示す。
【００５４】
特に、集光器２は、リングの外側部分に沿って配置され、断面台形である外側発光型プレート（２２）と、順にリングの内側部分に沿って配置された内側発光型プレート（２１）と、を備え、内側発光型プレートは、同様に、台形断面を有する。
【００５５】
デバイス１は、半導体材料からなる好ましくはナノ構造タイプの層２３をさらに備え、この層は、２つの内側及び外側発光型プレートの間に挟み込まれており、そのため、各台形断面のより大きい底辺は、その両側においてそれを向く。
【００５６】
デバイス１は、搬送手段をさらに備え、この搬送手段は、以下で詳細に説明するように、上述したリング状集光器２の内側の発光放射を集めて集光するように構成されている。
【００５７】
搬送手段は、図示の好ましい実施形態において、リングの外周に沿って配置されたコンベア３を備える。
【００５８】
光電デバイス１は、好ましくは、容器４内に挿入されており、この容器内において、結合システム（図示略）によって支持されている。特に、容器４は、図において参照符号５で示す４つのフレネル型レンズ（そのうちの２つのみが図に示される）によって上方に関して閉塞されており、これらレンズは、円を形成するように配列されており、この円において、各レンズは、四分円を取る。
【００５９】
フレネル型レンズは、当業者に公知であり、したがって、それらの動作の基礎をなす原理を以下では説明しない。
【００６０】
フレネルレンズ５は、後述するように、コンベア３と協働し、それにより、太陽光放射をそこに集光し、そしてそこへ入射させる。
【００６１】
次に図２を参照すると、リング状集光器２の断面が正面図で示されている。図２には、上方に関してフレネルレンズ５によって閉塞されている容器４の壁部と、太陽光集光器２の断面と、コンベア３と、が示されている。理解されていることは、図２の集光器２の断面に関して記載されていることがすべての集光器断面に対して全く同様に適用されることである。
【００６２】
入射放射は、フレネルレンズ５に到着し、このフレネルレンズは、上記放射をコンベア３の一部に搬送して集光させるように構成されている。
【００６３】
特に、図示のように、コンベア３は、三角形断面を有し、発光型プレート２２の延長部の形態をとっており、この延長部は、その側面３１において発光型プレートの一体部分であり、フレネルレンズ５を通過する入射太陽放射を集光するように構成された面３２を有する。好ましくは、コンベア３は、直角二等辺三角形状断面を有し、第３斜面３３を備え、この第３斜面には、ミラーが付けられており(mirror-fitted)、第３斜面は、上記第１及び第２面３１及び３２を向く。
【００６４】
外側発光型プレート２２は、受光面２２１を有し、この受光面は、ただ太陽光放射を受光するように構成され、その外周に沿って、かつその台形断面のより小さい底辺において正確に設けられている。
【００６５】
三角形状のコンベア３は、受光面２２１において集光器に接続されることを意図している。その構成を容易にするために、その面３１は、受光面２２１を向く。
【００６６】
したがって、フレネルレンズ５を通過する入射放射は、日光の散乱を防止するための反射防止フィルムが備えられたコンベア３の面３２の一部に導かれ、そこで集光する。
【００６７】
その構成及びミラーが付けられた斜面３３を用いて、フレネルレンズへの放射入射すべては、そこから三角形状のコンベア３に搬送され、外側発光型プレート２２に移送される。
【００６８】
外側発光型プレート２２は、そこに分配された発光物質のおかげで入射放射のうち紫外線領域の周波数を有する部分を吸収するように構成されており、光電効果を生成するような周波数で半導体層２３に第１放射を放射する。
【００６９】
さもなければ、内側発光型プレート２１は、そこに分配された発光物質のおかげで入射放射のうち赤外線領域の周波数を有する部分を吸収するように構成されており、光電効果を生成するような周波数で半導体層２３に第２放射を放射する。
【００７０】
より具体的には、放射のうち赤外線領域の周波数を有するその部分は、処理されることなく外側発光型プレート２２を通過し、半導体層２３を通過することによって、内側発光型プレート２１内に到来し、この内側発光型プレートは、その放射の部分を吸収し、ただ光電効果を引き起こすために正しい周波数で半導体層に向けて再びその放射を放射する。
【００７１】
好ましくは、半導体層２３は、馬蹄形状構造を有しており、ほぼ上を向いたＵ字形状を有するＰドープシリコンからなる外側部分と、Ｎドープシリコンからなる内側部分と、を備え、両者は、ナノ構造を有する。下方に関して、所望の電気タイプの接続部は、光電効果により形成された電気エネルギーを輸送するために得られており、そのため、ユーザの負荷（図示略）に電力供給する。
【００７２】
好ましくは、発光型コンベア３、２１及び２２は、ポリメチルメタクリレート（ＰＭＭＡ）で形成されており、PE 399 Kristalflexからなる層と組み合わせたplexitの混合物の重合によって得られる。
【００７３】
外側発光型プレート２２は、上述したように、紫外線領域の太陽光放射を集光するように選択された物質を備える。上述した効果を得るための物質及びそれらの量の選択は、当業者の範囲内にあるとみなされ、したがって、以下では説明しない。
【００７４】
内側発光型プレート２１は、その代わりに、赤外線領域の放射を受光するような物質の選択を備える。これらは、限定されない例として、lumogen F Red 305（登録商標）（０．０１重量％）とFluorescence Yellow CRS040（０．００３重量％）との混合物を備える。
【００７５】
有利には、内側及び外側発光型プレート２１及び２２は、発光物質に加えて、例として、「黄緑顔料(Yellow green pigment)」タイプの顔料のような燐光性発光効果の生成に適した顔料を内側に備える。
【００７６】
このような顔料が存在することにより、デバイス１の夜間動作が可能となり、単にこのような燐光発光する顔料の作用によって、日中に蓄積した太陽光放射をシリコン層へ解放するので、電力を生成し続けることが可能となる。同様にこの場合において、このような燐光発光特性を有する発光型コンベアを製造するために必要な知識及び技術的考案は、当業者の範囲内にあるとみなされ、したがって、これら態様を以下でさらには説明しない。
【００７７】
コンベア３、２１及び２２によってシリコン層へ放射された放射の移送を最大化するため、集光器２には、有利には、反射ストリップが設けられており、そのため、太陽光放射の一部は、集光器の内側に到達すると、外側へ散乱せず、これにより、本発明の光電デバイスの主題である効率を著しく増大させる。
【００７８】
特に、外側発光型プレート２２は、一対の反射ストリップ２２２及び２２３を備え、それぞれは、斜面に各別に設けられている。内側発光型プレート２１は、同様に、それぞれが斜面に沿って各別に設けられた一対の反射ストリップ２１１及び２１２を備え、その台形断面のより大きい底辺に沿って位置する外面に沿って配置された反射ストリップ２１３をさらに備える。
【００７９】
デバイス１の効率をさらに改善し、光電効果を引き起こすために入射放射をすべて実際に使用することを保証するために、集光器２は、参照符号７で示す４つの半球状カバーを備え、これらカバーのうちの３つは、リングの各側面に沿って配置され、１つは、リングの頂面に沿って配置されている。
【００８０】
カバーは、同様に、有利には、容器４の内側において集光器２を支持するための構造部材として使用される。
【００８１】
常に図２を参照すると、光電デバイスは、集光器２に関連付けられた冷却システムをさらに備える。好ましくは、冷却液が設けられたチャネルは、半球状カバー７の内側に設けられている。例として、この図において、チャネルを参照符号１０で示す。
【００８２】
ここで図３及び図４を参照すると、光電デバイス１は、斜視図及び平面図それぞれで示されており、上方に関してフレネルレンズ５によって閉塞された容器４の内側に挿入されかつ支持された（フレネルレンズの横断面を通して視認可能である）集光器２を備える。
【００８３】
図５を参照して、限定されない例として、本明細書で示す実施形態に関する好ましい幾何形状を提供する。特に、以下で伝える文字は、図に示す文字を示しており、各文字は、各量（長さまたは角度）を特徴付けている。
【００８４】
ａ：３ｃｍ
ｂ：２ｃｍ
ｃ：１．１ｃｍ
ｄ：０．１ｃｍ
ｅ：０．３ｃｍ
ｆ：３．０ｃｍ
ｇ：２．０ｃｍ
ｈ：０．５ｃｍ
ｉ：１．０ｃｍ
ｌ：５．５ｃｍ
角度α：２４°
角度β：５５°
リングの内径：５．５ｃｍ
リングの外径：９．５ｃｍ
リング高さ：３．０ｃｍ
【００８５】
最後に、最後の図６を参照すると、光電パネル１００を示しており、この光電パネルは、格子構造の交点に配置された複数の光電デバイス１を備える。光電パネル１００は、太陽追従移動システムを備え、このシステムは、図において参照符号２００で示されており、パネルを移動させるのに適しており、そのため、どの瞬間においても可能性のある最大太陽光放射を集める。
【００８６】
図７には、変形実施形態にかかる光電パネル３００を示す。
【００８７】
特に、常に図７を参照すると、パネル３００は、支持構造体３１０を備えており、この支持構造体は、本明細書で設定する実施形態において、限定しない例として、例えばバルコニーまたは建物の突出部に固定するのに適した一対の直立部を有する。
【００８８】
上述した光電デバイス１は、順に負荷支持構造体３３０に固定されており、この構造体は、支持構造体３１０にヒンジ接続されており、したがって、「格納式」タイプの機構によって支持構造体に対して回転自在である。
【００８９】
負荷支持構造体３３０の回転は、図において参照符号３２０で示す電気モータによって実現されており、この電気モータは、２つの直立部３１０によって画成される平面に対して必要なようにこのような構造体３３０を正確に傾けることを可能とする。
【００９０】
好ましくは、電気モータ３２０は、パネル自体により処理される太陽光エネルギーの一部により給電されている。
【００９１】
パネル３００は、風や雨のような大気の作用の場合に堅実性を提供するためにより構造的な剛性を実現するように、図において参照符号３５０で示す連節された安全ロッドを備え、これら安全ロッドは、負荷支持構造体３３０を支持構造体３１０に接続する。
【００９２】
ここで連続的な図８Ａから図８Ｃを参照すると、光電パネル３００は、建物の突出部に連結して示されており、この突出部は、図において概略的に示されており、参照符号４００で示されている。
【００９３】
図に示すように、負荷支持構造体は、（例えばリモコンによって駆動される）モータ３２０によって運転されており、その太陽光放射の吸収を最適化するように方向付けられている。
【００９４】
図８Ｃにおいて、パネル３００は、格納構造で示されており、したがって、使用しないときには視認されない。
【００９５】
このような移動システムを実施するために必要とされる必要な知識及び技術的考案は、当業者に広く公知であるとみなされ、したがって、その詳細な説明を省略する。
【００９６】
本明細書に本発明をその好ましい実施形態を参照しながら説明した。理解することは、他の実施形態が存在してもよく、すべては、同一の発明の概念内に属し、すべては、以下の保護する特許請求の範囲内に含まれる。
【符号の説明】
【００９７】
１，１００  光電デバイス，デバイス、２  太陽光集光器，リング状集光器，集光器、３  外側コンベア，発光型コンベア，コンベア，搬送手段、４  容器、５  フレネルレンズ，レンズ，搬送手段、７  半球状カバー（カバー）、１０  冷却チャネル、２１  内側発光型プレート，発光型プレート、２２  外側発光型プレート，発光型プレート、２３  半導体層，層、３１  第１面，側面，面、３２  第２面，受光面，面、３３  第３斜面，斜面、２００  太陽追従移動システム、２１１，２１２  内側発光ストリップ，反射ストリップ、２１３  反射ストリップ、２２１  外周受光面，受光面
【図１】
2014523137.tif 000003
【図２】
2014523137.tif 000004
【図３】
2014523137.tif 000005
【図４】
2014523137.tif 000006
【図５】
2014523137.tif 000007
【図６】
2014523137.tif 000008
【図７】
2014523137.tif 000009
【図８Ａ】
2014523137.tif 000010
【図８Ｂ】
2014523137.tif 000011
【図８Ｃ】
2014523137.tif 000012
【国際調査報告】
2014523137.tif 000013
2014523137.tif 000014